(57)【特許請求の範囲】
【請求項１】
箱形状のキャビネットと、
前記キャビネットの前面に設けられたキャビネット開口部と、
前記キャビネットの上面に載置されるカウンタと、
前記カウンタに設けられ前記キャビネット開口部の幅より大きくしたカウンタ開口部と、前記カウンタ開口部に収納可能な本体と，前記本体の幅より小さく前記キャビネット開口部に収納される前記本体に形成された前面パネルとを有するコンロとを備え、
前記コンロの前面パネルを前記キャビネット開口部に前面パネルの一部が突出あるいは平行に設置すると共に、前記カウンタ開口部に対して大きさの異なる複数種類の前記コンロの本体を収納可能とするコンロ付厨房装置。
【請求項２】
複数の加熱部をコンロ上面に備えた請求項１に記載のコンロ付厨房装置。
【請求項３】
前記コンロの前面にロースタを設けた請求項１または２に記載のコンロ付厨房装置。
【請求項４】
複数の加熱部をコンロ上面に略平行に配置した請求項１〜３のいずれか１項に記載のコンロ付厨房装置。
【請求項５】
操作部を全てコンロ上面に設けた請求項１〜４のいずれか１項に記載のコンロ付厨房装置。
【請求項６】
前記コンロの下面に位置し前記コンロのたわみ及び落下を防止する補強手段をカウンタに設けた請求項１〜５のいずれか１項に記載のコンロ付厨房装置。
【発明の詳細な説明】
【技術分野】
【０００１】
本発明は、コンロ付きの厨房装置およびそのコンロに関する。
【背景技術】
【０００２】
従来のコンロ付きの厨房装置について図面を用いて説明する。図７には、従来の誘導加熱調理器付きの厨房装置に組み入れる状態を示している。図７に示すように、キャビネット３４は木材等で構成されており、カウンタ３６は人口大理石等からなる。
【０００３】
前記キャビネット３４は前面に開口部３５が設けられ、上面のカウンタ３６には開口部３７が設けられている。誘導加熱調理器３８の上面は耐熱性ガラスなどの非金属で構成された平板状のプレート３９と、プレート３９の下部には誘導加熱により鍋などを加熱する加熱コイル４０が収容されている。
【０００４】
さらに誘導加熱調理器３８の前面は魚焼きなどが行なえるロースタ４２および誘導加熱調理器の操作が行なえる操作部４１が配置されている。また前記加熱コイル４０を駆動するインバータや内部の冷却用のファンなどが本体収納部４３に配置されている。
【０００５】
上記、誘導加熱調理器３８は、厨房装置のキャビネット３４のカウンタ３６に設けた開口部３７から本体収納部４３を挿入し、本体収納部４３をキャビネット３４内に収容し、プレート３９の周囲がカウンタ３６上に載るようにして、誘導加熱調理器３８をキャビネット３４に入れている。
【０００６】
またキャビネット３４の前面にある開口部３５に誘導加熱調理器３８の前面部が面一に配置される構成になっている。上記開口部３５および開口部３７は誘導加熱調理器あるいはガスコンロ機器などをキャビネットに組み入れるために設けてられており、厨房装置の各社メーカーはこの開口部３５および開口部３７の大きさをほぼ同じとすることで、誘導加熱調理器のメーカーあるいはガスコンロ機器のメーカーが外郭の外形寸法を変更することなく厨房装置のメーカー各社のキャビネット内に組み込むことができるようになっている。
【先行技術文献】
【特許文献】
【０００７】
【特許文献１】特開２００１−１９６１５３号公報
【特許文献２】特開２００８−０９１１９３号公報
【発明の概要】
【発明が解決しようとする課題】
【０００８】
しかし、従来の誘導加熱調理器においては、厨房装置のカウンタ３６の開口部３７の大きさ（日本国内ではこのカウンタ開口部４の横幅は約５６０ｍｍ）によって調理器本体の大きさが決まってしまうので、本体収納部４３内に配置される加熱コイル４０の大きさ、レイアウトも制約されることになる。
【０００９】
その結果、大きな直径の加熱コイルを搭載することが困難なため、鍋底の直径が大きな鍋を良好な加熱分布で加熱することが困難になる課題が生じる。また、鍋底の直径の大きな鍋を複数個並べて加熱しようとすると、前記の通り、加熱コイル４０の中心に鍋底中心を合わせて載置すると、鍋同士が当たってしまい調理作業性が悪いという課題が生じる。
【００１０】
更に、操作キーが本体収納部４３内に配置の構成では、この開口部３７の幅の範囲内に
収めるしかなく操作キーの位置の自由度が低いという課題が生じていた。
【００１１】
また、本体収納部４３の幅を拡大し、加熱コイルの間隔を広くしてしまうと他の機器への置き換えができないものになる。またキャビネット３４の開口部３５（日本国内ではこの開口部３５の横幅は約５００ｍｍ）に入らない構成となる。
【００１２】
本発明は、前記従来の課題を解決するもので、厨房装置のカウンタの開口部をキャビネットの開口部より大きくし、さらにコンロの本体を大きくし、キャビネットの開口部が面一となるようにコンロの前面のロースタなどの部分のみ凸型に構成することで、コンロの互換性があり、本体の幅に依存する加熱コイルの大きさなどは自由に設定でき、使いやすいコンロ付厨房装置を提供することを目的とする。
【課題を解決するための手段】
【００１３】
前記従来の課題を解決するために、本発明のコンロ付厨房装置は、箱形状のキャビネットと、前記キャビネットの前面に設けられたキャビネット開口部と、前記キャビネットの上面に載置されるカウンタと、前記カウンタに設けられ前記キャビネット開口部の幅より大きくしたカウンタ開口部と、前記カウンタ開口部に収納可能な本体と，前記本体の幅より小さく前記キャビネット開口部に収納される前記本体に形成された前面パネルとを有するコンロとを備え、前記コンロの前面パネルを前記キャビネット開口部に前面パネルの一部が突出あるいは平行に設置すると共に、前記カウンタ開口部に対して大きさの異なる複数種類の前記コンロの本体を収納可能とするものである。
【００１４】
これによって、コンロの本体部分は大きくでき、その内部に収納する複数個の加熱コイルなどの加熱部を平行に並べることも可能で、手前から積載する鍋の移動も容易にすることができる。
【００１５】
また、大きな鍋をそれぞれの加熱部分で用いても他の鍋と接触することもなく、使いやすいものとなる。
【００１６】
また、キャビネットの前面はコンロの前面パネルの一部をキャビネット開口部に突出あるいは平行に設置することにより、前面から取り出すロースタや、前面から操作する操作部などを前面に配置できるため、キャビネットは従来の開口部の幅でよく、従来の他の機器への交換もできる厨房装置が提供できる。
【発明の効果】
【００１７】
本発明の誘導加熱調理器は、カウンタの開口部をキャビネットの開口部に対し大きくしたことでコンロ上面の加熱部のバーナピッチを広く配置できるコンロの構成が可能となり、調理作業性を向上させることができ、さらに従来のコンロへの変更も可能であり、使いやすさと利便性を兼ね備えたコンロ付厨房装置とすることができる。
【図面の簡単な説明】
【００１８】
【図１】本発明の実施の形態１におけるコンロ付厨房装置の構成図
【図２】本発明の実施の形態１におけるコンロ付厨房装置の加熱コイルをバーナ設置した誘導加熱調理器の構成図
【図３】本発明の実施の形態１におけるコンロ付厨房装置の同一径の加熱コイルを平行に配置した誘導加熱調理器の構成図
【図４】本発明の実施の形態１におけるコンロ付厨房装置のロースタ無しの時の誘導加熱調理器の構成図
【図５】本発明の実施の形態１におけるコンロ付厨房装置の大口径の加熱コイルを配置した誘導加熱調理器の構成図
【図６】本発明の実施の形態２におけるコンロ付厨房装置のガスバーナコンロの構成図
【図７】従来の誘導加熱調理器付の厨房装置の構成図
【発明を実施するための形態】
【００１９】
第１の発明は、箱形状のキャビネットと、前記キャビネットの前面に設けられたキャビネット開口部と、前記キャビネットの上面に載置されるカウンタと、前記カウンタに設けられ前記キャビネット開口部の幅より大きくしたカウンタ開口部と、前記カウンタ開口部に収納可能な本体と，前記本体の幅より小さく前記キャビネット開口部に収納される前記本体に形成された前面パネルとを有するコンロとを備え、前記コンロの前面パネルを前記キャビネット開口部に前面パネルの一部が突出あるいは平行に設置すると共に、前記カウンタ開口部に対して大きさの異なる複数種類の前記コンロの本体を収納可能とするものである。
【００２０】
これによって、コンロの本体部分は大きくでき、その内部に収納する例えば加熱コイルなどの加熱部も従来の一般的な１８０ｍｍ径のコイルより大きな径、例えば２５０ｍｍの径のコイルを用いることも可能である。
【００２１】
また、キャビネットの前面はコンロの前面パネルの一部をキャビネット開口部に突出あるいは平行に設置することにより、キャビネットの他部と面一にして美観も損なうことなく設置できる。
【００２２】
また、前面から操作できる操作部などを配置できる。そのため、キャビネットは従来の開口部の幅でよく、従来のロースタ付の調理器なども設置することが可能であり、他の機器への交換もできる厨房装置とすることができる。また、現行の開口部に合わせた寸法の他の機器への変更も可能となるコンロ付厨房装置を提供することができる。
【００２３】
第２の発明は、特に、第１の発明において、複数の加熱部をコンロ上面に備えたものである。
【００２４】
これによって、例えば加熱コイルなどの加熱部を複数個配置することが可能であり、同時に多数の調理を行なうことができる。また、大きな鍋を積載し、複数のコイルに通電することで大量の調理をハイパワーで加熱することも可能となる。
【００２５】
第３の発明は、特に、第１または第２の発明において、前記コンロの前面にロースタを設けたものである。
【００２６】
これによって、キャビネットの前面から取り出せるロースタを配置できるため、ロースタを有したコンロ付厨房装置とすることができ、さらにキャビネットは従来の開口部の幅でよく、従来のロースタ付の調理器への置き換えも可能である。
【００２７】
第４の発明は、第１〜３のいずれか１つの発明において、複数の加熱部をコンロ上面に略平行に配置したものである。
【００２８】
これによって、コンロ上面に複数の加熱部を平行に並べることで、全て手前から、積載する鍋の移動も容易である。また大きな鍋をそれぞれの加熱部分で用いても他の鍋と接触することも少なく、使いやすいものとすることができる。
【００２９】
第５の発明は、第１〜４のいずれか１つの発明において、操作部を全てコンロ上面に設けたものである。
【００３０】
これによって、コンロ上面に操作部を全て設けているので、調理しながら簡単に加熱手段の火力調整等ができ、使いやすいものとすることができる。
【００３１】
第６の発明は、第１〜５のいずれか１つの発明において、前記コンロの下面に位置し前記コンロのたわみ及び落下を防止する補強手段をカウンタに設けたものである。
【００３２】
これによって、カウンタの開口部がコンロ本体上面のプレート部の寸法より十分に小さくなくても本体の重量を支えることができるので、コンロ本体の回路及び加熱コイル等のバーナを入れる寸法を十分に取ることができる。
【００３３】
以下、本発明の実施の形態について、図面を参照しながら説明する。なお、この実施の形態によって本発明が限定されるものではない。
【００３４】
（実施の形態１）
本発明の実施の形態１について、図１および図２を参照しながら説明する。図１は本発明の第１の実施の形態におけるコンロ付厨房装置の構成図である。
【００３５】
図１において、箱形状のキャビネット１には、キャビネット１の上面に載置されるカウンタ３を有している。キャビネット１の前面にはキャビネット開口部２があり、カウンタ３にはカウンタ開口部４がそれぞれ設けられている。
【００３６】
前記カウンタ３に設けられたカウンタ開口部４と前記キャビネット１の前面に設けられたキャビネット開口部２に一部を入れた状態で収納され、誘導加熱調理器５で構成している。
【００３７】
カウンタ開口部４の幅は約７００ｍｍであり、キャビネット１のキャビネット開口部２の幅約５００ｍｍより大きくしている。
【００３８】
前記誘導加熱調理器５の前面パネル４５は、キャビネット１のキャビネット開口部２に平行に設置できるようにして収まる構成のものである。
【００３９】
図２は、本発明の第１の実施の形態におけるコンロ付厨房装置の加熱コイルをバーナ設置した誘導加熱調理器５の構成図である。
【００４０】
上面は結晶化ガラスでできたプレート６で構成されている。また、その内部には鍋を誘導加熱するための加熱部である加熱コイル７、加熱コイル８、加熱コイル９が配置されている。本体１７には加熱コイル７、８、９に高周波電流を流すインバータ１３、１４、１５が収納されており、このインバータを動作あるいは停止するための操作部１０、１１、１２は前記プレート６に配置されている。
【００４１】
さらに本体１７の前面には魚などを焼くロースタ１６がある。
【００４２】
以上のように構成されたコンロ付厨房装置について、以下その動作、作用を説明する。まず、誘導加熱調理器５の使用者は、プレート６上の定められた位置に鍋などの被加熱物を載置する。
【００４３】
例えば、加熱コイル７の上部に鍋を積載した場合、操作部１０より加熱指示することで、被加熱物を誘導加熱する。使用者が加熱開始の指示を行うと、加熱コイル７に接続されたインバータ１３から高周波の電流が加熱コイル７に供給され、この高周波電流により加
熱コイル７から発生した高周波磁界が鍋に供給される。
【００４４】
そこで鍋の表層部には渦電流が発生し、この渦電流と被加熱物自身の高周波抵抗により発熱する。この発熱を利用して、使用者は各種の調理を行うことになる。
【００４５】
鍋やフライパンなどを多数用いる場合には加熱コイル７、加熱コイル８、加熱コイル９のそれぞれに同時に積載し、それぞれの加熱コイルに対応した操作部で加熱指示を行う。この場合、加熱コイルの前方に対応した操作部が配置されており、使用者は操作しやすくなっている。
【００４６】
ここで、誘導加熱調理器５はプレートが幅約７５０ｍｍに対し、本体１７の幅は約７００ｍｍとなっている。これまでの誘導加熱調理器はキャビネット開口部２の幅に合わせて５００ｍｍの本体幅となっているのに対し、この誘導加熱調理器５は約２００ｍｍ大きく、その分、加熱コイル７、加熱コイル８、加熱コイル９の収容部が幅広く構成されており、このため、加熱コイルの間隔が拡大でき、加熱コイルを俵型に配置することなく、平行に配置されている。
【００４７】
このため、鍋の移動が手前にスムーズに行なえ、全てのバーナが使いやすくなっている。さらに操作部１０、操作部１１、操作部１２も本体の幅が広がったことにより、全てのバーナに対応して、バーナの前方に配置することが可能であり、操作もしやすくすることができる。
【００４８】
また、ロースタ１６は本体１７前面の中央部略５００ｍｍの幅に収められている。本体１７の前面は、前面の中央部略５００ｍｍ部分が凸となって、左右端部の略１００ｍｍずつの部分と段差がある。この構成のため、本体１７中央部はキャビネット１のキャビネット開口部２に面一で収まる構成である。
【００４９】
このため、ロースタ１６はキャビネット１前面から魚などの調理物を収納し、図示していない本体中央部にある操作部から加熱調理の操作が行なわれ、調理が行なえる。
【００５０】
この構成によれば、従来のキャビネット開口部２のサイズは維持しながら、誘導加熱調理器の加熱コイルの間隔を広げることで、調理をしやすくできる。
【００５１】
また、従来機器で約７５０ｍｍ幅のプレートを有し、本体幅が約５００ｍｍの機器であれば、置き換え可能であるため、汎用性のあるコンロ付厨房装置とすることができる。
【００５２】
誘導加熱調理器のプレート６は結晶化ガラス等でできている。この調理器の設置においては、本体の重量が重く、本体を支えるものはカウンタの開口部の周囲にはみ出したプレートであり、プレートの下部に重量に耐えられる補強がされているとはかぎらない。
【００５３】
その際のたわみおよび落下防止のために、カウンタにコンロの下面の位置に本体の重量を支える補強材を設置（図示せず）することで、さらに置き換えがしやすくなる。
【００５４】
また、図３は本発明の第１の実施の形態におけるコンロ付厨房装置の同一径の加熱コイルを平行に配置した誘導加熱調理器の構成図であり、図３に示すように、加熱部である加熱コイル１８、加熱コイル１９、加熱コイル２０のサイズを同一サイズにし、どの３つのバーナでも同じように調理できるような構成にすることも可能である。
【００５５】
この場合、使用者はバーナの大きさ、配置を気にすることがなくなり、さらに使いやすくなる。
【００５６】
また、図４は本発明の第１の実施の形態におけるコンロ付厨房装置のロースタ無しの時の誘導加熱調理器の構成図であり、図４に示すように、ロースタをなくし、前面中央略５００ｍｍの凸部をパネルカバー２１として、ロースタ無しの誘導加熱調理器とすることも可能である。
【００５７】
ロースタがないことにより、本体１７の内部スペースが拡大し、インバータの配置も自由であるため、インバータの損失熱などを冷却する構成も自由に設計できるようにすることも可能である。
【００５８】
また一方、ロースタの代わりに保温を行なう保温庫などに利用する構成にしてもよい。さらにパネルカバー２１を開閉可能とし、収納スペースとして用いる構成も可能である。
【００５９】
図５は本発明の第１実施の形態におけるコンロ付厨房装置の大口径加熱コイル２２，大口径加熱コイル２３を配置した誘導加熱調理器の構成図である。さらに、図５に示すように、加熱コイルを２つのバーナにし、従来の加熱コイルの約１８０ｍｍ径に対し、さらに約２５０ｍｍ程度の大口径にすることで、大きなフライパンなどがムラなく調理できる構成にすることも可能である。
【００６０】
（実施の形態２）
図６は、本発明の第２の実施の形態におけるコンロ付厨房装置のガスバーナコンロの構成図であり、コンロをガスバーナにしたものである。
【００６１】
図６において、ガスコンロ４６の本体内のガスバーナ部２８、ガスバーナ部２９、ガスバーナ部３０のピッチを広げることで、バーナ間隔が広げられ、隣接の他のバーナで調理をする際に、ガス火の相互影響が気になったりすることもないコンロ付厨房装置とすることができる。
【産業上の利用可能性】
【００６２】
本発明のコンロ付厨房装置は、厨房装置のキャビネットに設けられた開口部の大きさに制約を受けることがなく、コンロのバーナの大きさと配置および加熱領域の大きさを自由に設定ができ、加熱効率の向上と調理作業性を向上させることができるので、調理器を組み入れる厨房装置等の用途に有効である。
【符号の説明】
【００６３】
１  キャビネット
２  キャビネット開口部
３  カウンタ
４  カウンタ開口部
５、３８  誘導加熱調理器
７、８，９、１８，１９，２０、４０  加熱コイル
１０、１１、１２  操作部
１６、４２  ロースタ
１７  本体
２２、２３  大口径加熱コイル
２８、２９、３０  ガスバーナ部
３６  カウンタ
３４  キャビネット
４１  操作部
４３  本体収納部
４５  前面パネル
４６  ガスコンロ
【図２】
0005521826.tif 000002
【図３】
0005521826.tif 000003
【図４】
0005521826.tif 000004
【図５】
0005521826.tif 000005
【図６】
0005521826.tif 000006
【図１】
0005521826.tif 000007
【図７】
0005521826.tif 000008